(57)【特許請求の範囲】
【請求項１】
加熱庫と、
上記加熱庫内の被加熱物を加熱して加熱調理を行う加熱部と、
少なくとも料理の画像を含む画像情報を表示する表示部と、
送信側装置から送信されてくる受信能力情報要求信号および上記画像情報を含む送信情報を表す送信信号を受信する一方、上記受信能力情報要求信号に呼応した受信能力情報を表す受信能力信号を上記送信側装置に返信する送受信部と、
上記送受信部による上記送信側装置との間の情報の受信および送信を制御する通信制御部と、
上記受信した送信情報を記憶する記憶部と、
上記記憶部に記憶された上記送信情報に含まれる上記画像情報を上記表示部に表示する表示制御部と
を備え、
上記送信側装置からの上記受信能力情報要求に呼応して返信される受信能力情報は、上記送受信部で受信可能であり、且つ上記表示部に表示可能な最大のデータサイズを表す情報である
ことを特徴とする加熱調理器。
【発明の詳細な説明】
【技術分野】
【０００１】
この発明は、例えば、携帯端末との間で信号の送受信を行うことができる加熱調理器に関する。
【背景技術】
【０００２】
携帯電話やパーソナルコンピュータ等の比較的情報処理能力の大きな送信側装置から赤外線通信等でもって比較的情報処理能力や表示能力の小さい受信側装置(加熱調理器等の家庭電気製品)に画像データ等の比較的情報量の大きなデータを送信する場合、データサイズが受信側装置の受信可能メモリサイズを超えてしまうことがある。この場合、受信側装置では受信エラーとなるので、送信側装置でデータサイズを小さくした画像情報等を受信側装置へ再送する必要がある。あるいは、上記受信側装置の方で、表示可能サイズを超える画像データが送られてきた場合に表示エリアに納まるように縮小処理をするための画像処理機能が必要になる。また、受信側装置が、たとえ十分に大きなメモリを有し、画像の縮小処理機能を持っていたとしても、画像処理能力の制限によって特定のサイズを超える画像を表示できないことがあるという問題がある。
【先行技術文献】
【特許文献】
【０００３】
【特許文献１】特開２００４−３１２４３０号公報
【発明の概要】
【発明が解決しようとする課題】
【０００４】
そこで、この発明の課題は、送信側からの送信情報を受信側の受信能力に合ったものとすることができ、受信側の受信能力不足や表示能力不足を回避でき、送信側の送信情報を受信側で支障なく受信でき、また表示できる上記受信側の装置としての加熱調理器を提供することにある。
【課題を解決するための手段】
【０００５】
上記課題を解決するため、この発明の加熱調理器は、
加熱庫と、
上記加熱庫内の被加熱物を加熱して加熱調理を行う加熱部と、
少なくとも料理の画像を含む画像情報を表示する表示部と、
送信側装置から送信されてくる受信能力情報要求信号および上記画像情報を含む送信情報を表す送信信号を受信する一方、上記受信能力情報要求信号に呼応した受信能力情報を表す受信能力信号を上記送信側装置に返信する送受信部と、
上記送受信部による上記送信側装置との間の情報の受信および送信を制御する通信制御部と、
上記受信した送信情報を記憶する記憶部と、
上記記憶部に記憶された上記送信情報に含まれる上記画像情報を上記表示部に表示する表示制御部と
を備え、
上記送信側装置からの上記受信能力情報要求に呼応して返信される受信能力情報は、上記送受信部で受信可能であり、且つ上記表示部に表示可能な最大のデータサイズを表す情報である
ことを特徴としている。
また、一実施の形態の送受信システムは、受信側装置に上記受信側装置の受信能力を示す受信能力情報を要求する受信能力情報要求信号を送信すると共に上記受信側装置から上記受信能力情報を表す受信能力信号を受信した場合に、上記受信能力信号の受信能力情報が示す受信能力に応じた送信情報を表す送信信号を上記受信側装置へ送信する送信側装置と、
上記送信側装置から上記受信能力情報要求信号を受信した場合に、受信能力を示す受信能力情報を表す受信能力信号を上記送信側装置に返信する受信側装置と
を備えることを特徴としている。
【０００６】
この明細書で、受信側装置の受信能力とは、単なる受信できるか否かを意味するのではなく、受信しても支障がない情報量および情報の形態を意味するものであり、換言すると、受信側装置の情報処理能力や表示能力等によって規定されるものである。
【０００７】
この実施の形態の送受信システムによれば、上記送信側装置は、受信側装置の受信能力を示す受信能力情報を要求する受信能力情報要求信号を上記受信側装置へ送信する。一方、上記受信側装置は、上記送信側装置から上記受信能力情報要求信号を受信した場合に、受信能力を示す受信能力情報を表す受信能力信号を上記送信側装置に返信する。そして、上記送信側装置は、上記受信側装置から上記受信能力信号を受信した場合に、上記受信能力情報が示す受信能力に応じた送信情報を表す送信信号を上記受信側装置へ送信する。これにより、上記送信側装置は、上記受信側装置の受信能力に合った送信信号を上記受信側装置へ送信することができ、上記受信側装置は、自身の受信能力や表示能力に合った送信信号を送信側装置から受信できる。よって、この発明によれば、受信側装置の受信能力不足や表示能力不足を回避でき、受信能力を増強することなく送信側装置の送信信号を受信側装置で支障なく受信でき、また、表示することが可能になる。
【０００８】
また、一実施の形態の送信側装置は、送受信部と、
上記送受信部による送受信動作を制御する通信制御部と
を備え、
上記通信制御部は、
上記送受信部から受信側装置へ上記受信側装置の受信能力を示す受信能力情報を要求する受信能力情報要求信号を送信させる第１の制御と、
上記送受信部が上記受信側装置から上記受信能力情報を表す受信能力信号を受信した場合に、上記受信能力情報が示す受信能力に応じた送信情報を表す送信信号を上記送受信部から上記受信側装置へ送信させる第２の制御と
を行なうことを特徴としている。
【０００９】
この実施の形態の送信側装置によれば、上記送受信部が上記受信側装置から上記受信能力信号を受信すると、上記通信制御部による第２の制御でもって、上記送受信部から上記受信側装置へ上記受信側装置の受信能力や表示能力に合った送信信号を送信できるので、上記受信側装置の受信能力不足や表示能力不足を回避でき、上記受信側装置により送信信号を支障なく受信でき、また表示することが可能になる。
【００１０】
また、一実施の形態の受信側装置は、送受信部と、
上記送受信部による送受信動作を制御する通信制御部と
を備え、
上記通信制御部は、
上記送受信部が、受信能力を示す受信能力情報を要求する受信能力情報要求信号を送信側装置から受信した場合に、受信能力を示す受信能力情報を表す受信能力信号を上記送受信部から上記送信側装置に送信させることを特徴としている。
【００１１】
この実施の形態の受信側装置によれば、送受信部から受信能力を表す受信能力信号を上記送信側装置に送信することによって、自身の受信能力に合った送信信号を送信側装置から受信できるので、受信能力不足や表示能力不足を回避でき、上記送信信号を支障なく受信でき、また表示することができる。
【００１２】
また、一実施形態の送信側装置は、情報端末である。
【００１３】
この実施形態によれば、携帯電話等の情報端末で送信側装置を実現できる。
【００１４】
また、一実施形態の受信側装置は、家庭電気製品である。
【００１５】
この実施形態によれば、加熱調理器,炊飯器,冷蔵庫等の家庭電気製品で上記受信側装置を実現できる。
【００１６】
また、一実施の形態の送信制御プログラムは、受信側装置へ上記受信側装置の受信能力を示す受信能力情報を要求する受信能力情報要求信号を送信部から送信させる機能と、
上記受信側装置から上記受信能力情報を表す受信能力信号を受信部で受信した場合に、上記受信能力情報が示す受信能力に応じた送信情報を表す送信信号を上記送信部から上記受信側装置へ送信させる機能と
をコンピュータに実現させる。
【００１７】
この実施の形態の送信制御プログラムによれば、上記受信側装置の受信能力に合った送信信号を上記送信部から上記受信側装置へ送信させることができるので、上記受信側装置の受信能力不足や表示能力不足を回避でき、送信信号を上記受信側装置により支障なく受信でき、また表示できる。
【発明の効果】
【００１８】
この発明の加熱調理器によれば、送信側装置は、加熱調理器の受信能力に合った送信信号を上記加熱調理器へ送信することができ、上記加熱調理器は、自身の受信能力に合った送信信号を送信側装置から受信できる。よって、加熱調理器の受信能力不足や表示能力不足を回避でき、受信能力を増強することなく送信側装置の送信信号を受信側装置で支障なく受信でき、また表示できる。
【図面の簡単な説明】
【００１９】
【図１】この発明の加熱調理器の一実施形態における正面斜視図である。
【図２Ａ】この実施形態が備える送信側装置としての携帯電話の正面図である。
【図２Ｂ】上記携帯電話の背面図である。
【図３】上記携帯電話の構成を示すブロック図である。
【図４】上記加熱調理器の縦断面の模式図である。
【図５】上記加熱調理器の操作パネルの概略正面図である。
【図６】図５のＦ４−Ｆ４線矢視の模式断面図である。
【図７】上記加熱調理器の制御ブロック図である。
【図８】上記加熱調理器のカラー液晶表示部にトップ操作画面が表示された操作パネルの正面図である。
【図９】上記実施形態のデータ送信シーケンスを示す図である。
【図１０】上記実施形態の通信プロトコル(ＯＢＥＸ)におけるリクエストフォーマットの一例を示す図である。
【図１１】上記実施形態の通信プロトコルにおける主なリクエストコードの種類を示す図である。
【図１２】上記実施形態における追加のリクエストコードを示す図である。
【図１３】上記リクエストコードに対応するリクエストパケットの一例を示す図である。
【図１４】上記実施形態の通信プロトコルにおけるレスポンスフォーマットの一例を示す図である。
【図１５】上記通信プロトコルにおける主なレスポンスコードの種類を示す図である。
【図１６】図１２のリクエストコードに対するレスポンスを示す図である。
【図１７】図１６のレスポンスのオプションヘッダの一例を示す図である。
【図１８】図１６のレスポンスのレスポンスパケットの一例を示す図である。
【図１９】上記実施形態の受信側装置に替えて比較例の受信側装置を備えた送受信システムにおけるデータ送信シーケンスを示す図である。
【発明を実施するための形態】
【００２０】
以下、この発明を図示の実施の形態により詳細に説明する。
【００２１】
図１は、この発明の一実施形態における加熱調理器１０００の正面斜視図である。また、図２Ａは、この実施形態が備える送信側装置としての携帯電話機３０００の正面図、図２Ｂは、携帯電話機３０００の背面図である。また、図３は、上記携帯電話機３０００の構成を示すブロック図である。
【００２２】
(送信側装置としての携帯電話機３０００の構成)
先ず、上記携帯電話機３０００の構成を説明する。この携帯電話機３０００は、図２Ａに示すように、モニター側筐体３０１および操作側筐体３０２を備え、このモニター側筐体３０１と操作側筐体３０２とがヒンジ部３０３で連結され、折り畳み可能になっている。上記モニター側筐体３０１には、表示部３０５とスピーカ部３０６が設けられている。また、上記操作側筐体３０２には、通話ボタンや撮影ボタンなどを含む複数の操作ボタン３０７からなる操作部３０８とマイク部３１１とが設けられている。また、図２Ｂに示すように、上記モニター側筐体３０１の背面には、カメラ部３１２と赤外線通信ポート３１３が設けられている。
【００２３】
図３に示すように、上記携帯電話機３０００の制御回路３６０には、上記操作部３０８,マイク部３１１,表示部３０５,赤外線信号送受信部３１５,スピーカ部３０６,カメラ部３１２および通信部３３０と記憶部３５０が接続されている。上記制御回路３６０は、図示しないマイクロコンピュータ,ＲＯＭ，ＲＡＭ等で構成されており、上記した各部の動作を制御する。上記制御回路３６０は、赤外線通信制御部３６０ａを有し、この赤外線通信制御部３６０ａで赤外線信号送受信部３１５の動作を制御する。
【００２４】
上記操作部３０８の操作ボタン３０７が操作されると、これに対応する操作信号が制御回路３６０で検出される。マイク部３１１は、入力された音声を信号に変換して制御回路３６０に出力する。表示部３０５は、例えば液晶ディスプレイから構成され、携帯電話機３０００が開かれている状態において、制御回路３６０から与えられる表示信号を表示する。
【００２５】
赤外線信号送受信部３１５は、制御回路３６０から入力された信号を予め定められた赤外線通信プロトコルに基づいて赤外線信号として赤外線通信ポート３１３から外部に送信する。また、この赤外線信号送受信部３１５は、予め定められた赤外線通信プロトコルに基づいて上記赤外線通信ポート３１３から赤外線信号を受信して制御回路３６０へ入力する。また、スピーカ部３１１は、制御回路３６０から入力された信号を音声に変換して外部に出力する。カメラ部３１２は、例えばＣＣＤカメラから構成され、撮影した画像データを制御回路３６０に出力する。また、通信部３３０は、所定の通信プロトコルに基づいて、インターネットとの接続や、携帯電話回線との通信処理を行う。記憶部３５０は、例えば不揮発性メモリから構成され、後述する各種の情報を記憶する。
【００２６】
(受信側装置としての加熱調理器１０００の構成)
次に、上記受信側装置としての加熱調理器１０００の構成を説明する。この加熱調理器１０００は、図１に示すように、直方体形状のケーシング１の正面に、下端側の辺を略中心に回動する扉２が取り付けられている。この扉２の上部にハンドル３を取り付けると共に、扉２の略中央に耐熱ガラス４を取り付けている。また、扉２の右側に操作パネル５および赤外線通信ポート２１１を設けている。この操作パネル５は、表示部の一例としてのカラー液晶表示部６とボタン群７を有している。また、ケーシング１の上側かつ右側後方に排気ダクト８を設けている。さらに、ケーシング１の扉２の下方に、露受容器９を着脱自在に取り付けている。
【００２７】
図４は上記加熱調理器の縦断面の模式図を示している。図４に示すように、水タンク１１から供給された水を蒸気発生装置１２で加熱して飽和水蒸気を生成する。蒸気発生装置１２で生成された飽和水蒸気は、蒸気供給通路(図示せず)を介して、加熱庫１３の右側面に取り付けられた循環ユニット１４の蒸気吸込口１５の加熱庫１３側に供給される。
【００２８】
上記蒸気供給通路に接続された蒸気供給管３４を、加熱庫１３の右側面と平行になるように、循環ユニット１４の蒸気吸込口１５の近傍に取り付けている。また、循環ユニット１４内には、蒸気吸込口１５に対向するように循環ファン１８を配置している。循環ファン１８は、ファンモータ１９によって回転駆動される。
【００２９】
上記加熱庫１３の上面および左側面を覆うように、Ｌ字状に屈曲した蒸気ダクト１００を取り付けている。この蒸気ダクト１００は、加熱庫１３の上面側に固定された第１ダクト部１１０と、第１ダクト部１１０の左側方から下側に屈曲する屈曲部１２０と、加熱庫１３の左側面側に固定され、屈曲部１２０を介して第１ダクト部１１０に連なる第２ダクト部１３０とを有している。
【００３０】
この蒸気ダクト１００の第１ダクト部１１０に、過熱蒸気生成ヒータ２０を収納している。蒸気ダクト１００の第１ダクト部１１０と、過熱蒸気生成ヒータ２０で過熱蒸気生成装置２１を構成している。なお、過熱蒸気生成装置は、蒸気ダクトとは別に設けてもよい。
【００３１】
そして、蒸気ダクト１００の第１ダクト部１１０の右側は、循環ユニット１４の上部に設けられた蒸気供給口２２に連通している。加熱庫１３の天面には、複数の第１蒸気吹出口２４が設けられており、蒸気ダクト１００の第１ダクト部１１０は、第１蒸気吹出口２４を介して加熱庫１３内に連通している。一方、蒸気ダクト１００の第２ダクト部１３０は、加熱庫１３の左側面に設けられた複数の第２蒸気吹出口２５を介して加熱庫１３内に連通している。
【００３２】
上記加熱庫１３と蒸気ダクト１００との隙間は、耐熱樹脂などによりシールされている。また、加熱庫１３と蒸気ダクト１００は、加熱庫１３の前面開口を除いて断熱材により覆われている。
【００３３】
上記循環ユニット１４と過熱蒸気生成装置２１と加熱庫１３とそれらを接続する接続部材とによって、蒸気の循環経路が形成されている。そして、この循環経路における循環ユニット１４の加熱庫１３との境界部に、蒸気発生装置１２で生成された飽和水蒸気が供給される。
【００３４】
また、加熱庫１３の下部にはマグネトロン８０(図７に示す)が配置されている。このマグネトロンで発生したマイクロ波は、導波管(図示せず)によって加熱庫１３の下部中央に導かれ、モータ３７によって駆動される回転アンテナ３８によって攪拌されながら加熱庫１３内の上方に向かって放射されて被加熱物２７を加熱する。
【００３５】
また、ケーシング１内の下側には、冷却ファン部(図示せず)と、電装部品１７と、マグネトロン８０(図７に示す)を配置している。電装部品１７は、加熱調理器の各部を駆動する駆動回路やこの駆動回路を制御する制御回路等を有している。
【００３６】
図５は、図１に示す操作パネル５および赤外線通信ポート２１１を拡大した概略図である。図６は、図５のＦ４−Ｆ４線から見た模式断面図である。また、図８は、トップ操作画面がカラー液晶表示部６に表示された操作パネルの正面図を示しており、図５と同一の構成部は同一参照番号を付している。
【００３７】
上記ボタン群７は、戻るキー７１、取り消しキー７２、手動加熱キー７３およびあたためスタートキー７４で構成されている。戻るキー７１は、カラー液晶パネル６１の画面表示を直前の画面表示に戻すときに押す。また、取り消しキー７２は、途中で加熱をやめるときや、操作を取り消すときに押す。そして、手動加熱キー７３は、高周波出力および加熱出力を手動で設定するときに押す。また、あたためスタートキー７４は、加熱を開始するときに押す。上記赤外線通信ポート２１１は、赤外線送受信部２１０(図７に示す)に接続されている。
【００３８】
上記カラー液晶表示部６は、カラー液晶パネル６１上にタッチパネル６２を重ねて構成されている。なお、この発明の表示部は、液晶パネルに限らず、有機ＥＬなどの他の表示デバイスを用いてもよく、カラー表示に限らず、白黒表示でもよい。
【００３９】
このカラー液晶パネル６１は、文字、数字、写真等をカラー表示できるものであり、加熱の種類、料理名、加熱時間、温度、料理の写真等を表示する。また、タッチパネル６２は、ユーザーが指でタッチすると、表面電荷を変化させる透明素材からなる静電容量方式のタッチパネルである。これにより、ユーザーはタッチパネル６２をタッチして、カラー液晶パネル６１に表示される画像を選択できるようになっている。また、ユーザーがタッチパネル６２をタッチして、カラー液晶パネル６１に表示される選択可能な画像を選択すると、その画像の色が変わるようになっている。つまり、カラー液晶パネル６１に表示される画像は、選択状態の色が非選択状態の色と異なるようになっている。なお、タッチパネル６２は、例えば、抵抗膜方式、表面弾性波方式、赤外線方式または電磁誘導方式のタッチパネルに換えてもよく、また、指によるタッチパネルの操作だけでなく、タッチペンなどのペン状物体を用いて操作してもよい。
【００４０】
図７は、上記加熱調理器の制御ブロック図を示している。この加熱調理器は、マイクロコンピュータと入出力回路などからなる制御装置２００を電装品部１７(図４に示す)内に備えている。制御装置２００は、過熱蒸気生成ヒータ２０,循環ファン用モータ１９,冷却ファン用モータ１６,給気ダンパ用モータ４４,排気ダンパ用モータ６０,操作パネル５,庫内温度センサ２９,解凍センサ５０,給水ポンプ７０,蒸気発生装置１２およびマグネトロン８０が接続されている。操作パネル５からの信号および庫内温度センサ２９,解凍センサ５０からの検出信号に基づいて、制御装置２００は、過熱蒸気生成ヒータ２０,循環ファン用モータ１９,冷却ファン用モータ１６,給気ダンパ用モータ４４,排気ダンパ用モータ６０,操作パネル５,給水ポンプ７０,蒸気発生装置１２およびマグネトロン８０などを制御する。
【００４１】
上記制御装置２００は、カラー液晶表示部６の一画面に複数のメニューを表す複数の画像を同時に表示する等の制御を行なう表示制御部２００ａと、赤外線通信制御部２００ｂを有し、この赤外線通信制御部２００ｂで赤外線送受信部２１０の動作を制御する。
【００４２】
上記構成の加熱調理器において、過熱蒸気によって加熱調理を行う場合には、図４に示す過熱蒸気生成ヒータ２０をオンすると共に、循環ファン１８を回転駆動する。そうして、蒸気発生装置１２から循環ユニット１４の蒸気吸込口１５の近傍上流側に供給された飽和水蒸気は、循環ファン１８の回転によって負圧になっている循環ユニット１４内に蒸気吸込口１５を介して吸い込まれて、蒸気供給口２２から過熱蒸気生成装置２１内に吹き出される。そして、過熱蒸気生成装置２１の過熱蒸気生成ヒータ２０によって加熱されて過熱蒸気となる。この過熱蒸気の一部は、下側の加熱庫１３の天面に設けられた複数の第１蒸気吹出口２４から、加熱庫１３内に下方に向かって吹き出す。また、過熱蒸気の他の一部は、蒸気ダクト１００を介して加熱庫１３の第２蒸気吹出口２５から加熱庫１３内に吹き出す。
【００４３】
そして、加熱庫１３内に供給された過熱蒸気は、トレイ３０上の網４０に搭載された被加熱物２７を加熱した後、加熱庫１３の右壁面に循環ユニット１４の蒸気吸込口１５に対向して形成された吸込口２８から循環ユニット１４内に吸い込まれる。そうして、再び循環経路を通って加熱庫１３内に戻るという循環を繰り返す。
【００４４】
これに対して、非過熱蒸気によって被加熱物２７を蒸すかまたは暖める運転を行う場合には、過熱蒸気生成ヒータ２０をオフすると共に、循環ファン１８を停止する。そうすると、循環ファン１８が停止しているため、循環経路内に循環気流が発生することがなく、蒸気発生装置１２から循環ユニット１４の蒸気吸込口１５の近傍上流側に供給された飽和水蒸気は、循環ユニット１４内に強制的に吸い込まれない。これにより、蒸気圧によって自然に加熱庫１３内に流れ込む飽和水蒸気により、被加熱物２７を蒸すかまたは暖める。
【００４５】
ここで、加熱庫１３内の左壁面および右壁面には、図４に示すように、トレイ３０の両端部を係止する係止部３９a,３９b,３９cが上下方向に３段に設けられている。そして、蒸気供給管３４は、上段の係止部３９aよりもやや上側に位置するように配置されている。「蒸し暖めモード」において、被加熱物２７を搭載した２つのトレイ３０を上段と中段とに配置する場合には、蒸気導入室３６内に架設された蒸気供給管３４の総てのノズル(図４の３４の円形部の左側開口)を加熱庫１３方向に斜め下向きにしておく。こうすることにより、被加熱物２７を搭載したトレイ３０が上段および中段の何れの位置にあっても、蒸気供給管３４の斜め下向きのノズルから引き出された飽和水蒸気を被加熱物２７に当てることができる。したがって、蒸気供給管３４のノズルからの吹き出し方向を操作することなく、上中２段の被加熱物２７に蒸し斑や暖め斑が生ずることがないようにできる。
【００４６】
(携帯電話機３０００と加熱調理器１０００との間の赤外線通信動作)
次に、上記送信側装置としての携帯電話機３０００と上記受信側装置としての加熱調理器１０００との間の赤外線通信動作を説明する。この実施形態では、ＩｒＤＡ(Ｉnfrared Ｄata Ａssociation)規格の一つであるＯＢＥＸ(ＯＢject ＥＸchange)を基本とし、これを改良したデータ転送プロトコルを採用している。
【００４７】
先ず、図２Ａに示す携帯電話機３０００の操作部３０８の操作ボタン３０７のうちの予め定められた赤外線通信ボタンが操作されると、制御回路３６０の赤外線通信制御部３６０ａは赤外線信号送受信部３１５を制御して、図９のデータ送信シーケンスに示されるように、赤外線通信ポート３１３から接続要求信号としてのＣonnect信号を送信させる。このＣonnect信号は、リクエストパケットであり、図１１に示すリクエストコード「Ｃonnect」に対応する１６進数「０x８０」と、それに続くパケット長を表す２バイトの１６進数とを含む。
【００４８】
次に、上記加熱調理器１０００の赤外線送受信部２１０が上記赤外線通信ポート２１１を介して、上記Ｃonnect信号を受信すると、上記制御装置２００の赤外線通信制御部２００ｂは、上記赤外線送受信部２１０を制御して、上記赤外線通信ポート２１１から接続許可信号としてのＯＫ信号を送信させる。このＯＫ信号は、図１５に示すレスポンスコード「ＯＫ」に対応する１６進数「０xＡ０」を含んでいる。
【００４９】
次に、上記携帯電話機３０００の赤外線信号送受信部３１５が、上記ＯＫ信号を受信すると、上記制御回路３６０の赤外線通信制御部３６０ａは、赤外線信号送受信部３１５を制御して(第１の制御)、赤外線通信ポート３１３から受信能力情報要求信号としてのＧet Ｍax Information信号を送信させる。このＧet Ｍax Information信号は、受信側装置としての加熱調理器１０００の受信能力を示す受信能力情報を要求する信号であり、一例として受信側で受信可能な最大のデータサイズを示す情報を要求する信号である。なお、この明細書で、受信側装置の受信能力とは、単なる受信できるか否かを意味するのではなく、受信しても支障がない情報量および情報の形態を意味するものであり、換言すると、受信側装置の情報処理能力や表示能力等によって規定されるものである。
【００５０】
このＧet Ｍax Information信号は、図１０に示すように、リクエストコード,パケット長,およびヘッダまたはデータで構成されるリクエストフォーマットに従い、図１２,図１３に示すように、「０x９０」(１６進数)で表わされるリクエストコードと一例として「０x０００３」(１６進数)で表わされるパケット長情報とを含んでいる。なお、上記「０x９０」,「０x０００３」のうちの「０x」は、１６進数であることを表す表記である。
【００５１】
次に、上記加熱調理器１０００の赤外線送受信部２１０が上記赤外線通信ポート２１１を介して、上記Ｇet Ｍax Information信号を受信すると、上記制御装置２００の赤外線通信制御部２００ｂは、赤外線送受信部２１０を制御して赤外線通信ポート２１１から、受信能力を示す受信能力情報を表す受信能力信号としてのＯＫ信号を送信する。このＯＫ信号は、レスポンスパケットであり、図１４に示すように、レスポンスコード,パケット長,レスポンスヘッダで構成されるレスポンスフォーマットに従い、図１６に一例を示すように、「０xＡ０」で表されるレスポンスコード(ＯＫ)と、一例として「０x００ＸＸ」で表されるパケット長情報と、オプションヘッダ情報とを含んでいる。また、このオプションヘッダ情報は、図１７に一例を示すように、ヘッダ名「Ｍax Ａvailable Ｌength」を表すコード「０xＥ１」とこのコード「０xＥ１」の直後の４バイト(３２ビット)で最大可能バイト数が入る。また、上記オプションヘッダ情報は、ヘッダ名「Ｍax Ａvailable width」を表すコード「０xＥ２」とこのコード「０xＥ２」の直後の４バイト(３２ビット)で最大可能横サイズが入る。また、上記オプションヘッダ情報は、ヘッダ名「Ｍax Ａvailable height」を表すコード「０xＥ３」とこのコード「０xＥ３」の直後の４バイト(３２ビット)で最大可能縦サイズが入る。したがって、上記オプションヘッダ情報では、上記ヘッダのコードと直後の４バイトのデータの組み合わせが連続で複数組連なる。
【００５２】
上記レスポンスパケットのより具体的な一例として、図１８では、レスポンスコードとデータとの４つの組みを含むレスポンスパケットを示している。すなわち、このレスポンスパケットは、「０xＡ０」で表されるレスポンスコード(ＯＫ)とその直後のパケット長が１８バイトであることを表すデータ「０x００１２」との組みと、「受信可能最大バイト数」を表すコードとしての「０xＥ１」とその直後の受信可能最大バイト数が５２４２８８バイトであることを表すデータ「０x０００８００００」との組みと、「最大可能横サイズ」を表すコードとしての「０xＥ２」とその直後の最大可能横サイズが２０４８バイトであることを表すデータ「０x０００００８００」との組みと、「最大可能縦サイズ」を表すコードとしての「０xＥ３」とその直後の最大可能縦サイズが１０２４バイトであることを表すデータ「０x０００００４００」との組みとを含んでいる。
【００５３】
次に、上記携帯電話機３０００の赤外線送受信部３１５が、上記赤外線通信ポート３１３を介して、上記受信能力情報としての上記ＯＫ信号を受信すると、上記赤外線送受信部３１５は、赤外線通信制御部３６０ａに制御されて(第２の制御)、上記受信能力情報としてのＯＫ信号が表す受信能力に応じた送信情報を表す送信信号としてのＰut信号を上記受信側装置としての加熱調理器１０００へ送信する。このＰut信号は、リクエストパケットであり、図１０に示すリクエストフォーマットに従い、図１１に示すリクエストコード「Ｐut」に対応する「０x０２」と、それに続くパケット長を表す２バイトの１６進数と、それに続くデータを表す(Ｎ−２)バイト(Ｎは３以上の自然数)の１６進数とを含む。
【００５４】
図９に示すように、上記携帯電話機３０００からのＰut信号は、複数回に分けて、上記加熱調理器１０００へ送信される。すなわち、１回目のＰut信号は、リクエストコード「０x０２」と、それぞれ１６進数で表わされたファイル名、全体のパケット長、最初のデータが順に配列されている。この１回目のＰut信号を、上記加熱調理器１０００の赤外線送受信部２１０が受信すると、この加熱調理器１０００の赤外線送受信部２１０は、制御装置２００の赤外線通信制御部２００ｂの制御により、Ｃontinue信号を返信する。このＣontinue信号は、送信の継続を要求するレスポンスパケットであり、図１５に示すレスポンスコード「Ｃontinue」に対応する１６進数「０x９０」を含む。
【００５５】
次に、上記携帯電話機３０００が赤外線送受信部３１５で上記Ｃontinue信号を受信すると、赤外線通信制御部３６０ａの制御により、赤外線送受信部３１５は、２回目のＰut信号を送信する。この２回目のＰut信号は、リクエストコード「０x０２」と、上記最初のデータに続くデータである２回目のデータ(１６進数)が順に配列されている。この２回目のＰut信号を、上記加熱調理器１０００の赤外線送受信部２１０が受信すると、この加熱調理器１０００の赤外線送受信部２１０は、制御装置２００の赤外線通信制御部２００ａの制御により、送信を継続する要求する信号であるＣontinue信号を返信する。
【００５６】
同様にして、上記携帯電話機３０００から上記加熱調理器１０００へのＰut信号の送信と加熱調理器１０００から携帯電話機３０００へのＣontinue信号の返信とが繰り返されてから、最終回のＰut信号が携帯電話機３０００から送信される。すると、この最終回のＰut信号を受信した加熱調理器１０００では、制御装置２００の赤外線通信制御部２００ｂの制御でもって赤外線送受信部２１０は、Ｓuccess信号を返信する。上記最終回のＰut信号は、図１１に示すように、最終回のパケットであることを表すリクエストコード「０x８２」と、前回のＰut信号による前回のデータに続く最終回のデータ(１６進数)とが順に配列されている。また、上記Ｓuccess信号は、受信が正常に完了したことを表すレスポンスパケットであり、図１５に一例を示すように、レスポンスコード「０xＡ０」を含んでいる。上記最初から最終回までのＰut信号による送信情報は、上記記憶部２１１に記憶される。上記送信情報は、一例として、携帯電話機３０００のカメラ部３１２で撮影した画像情報を、画像処理部３１７により受信側の加熱調理器１０００の受信能力に応じたものとした画像情報である。そして、加熱調理器１０００の記憶部２１１に記憶された上記画像情報は、表示制御部２００ａの制御により操作パネル５のカラー液晶表示部６に表示することが可能になっている。
【００５７】
次に、上記加熱調理器１０００から上記Ｓuccess信号を受信した上記携帯電話機３０００は、赤外線通信制御部３６０ａの制御により赤外線信号送受信部３１５から通信接続の解除を要求するＤisconnect信号を送信する。このＤisconnect信号は、リクエストパケットであり、図１１に示すリクエストコード「０x８１」を含んでいる。上記携帯電話機３０００からの上記Ｄisconnect信号を上記加熱調理器１０００の赤外線送受信部２１０で受信すると、制御装置２００の赤外線通信制御部２００ｂは赤外線送受信部２１０から接続の解除を了解したことを表すＳuccess信号を送信させる。
【００５８】
なお、上記送信側装置としての携帯電話機３０００では、各リクエストパケットを構成するリクエストコード等は記憶部３５０に記憶されている。また、上記受信側装置としての加熱調理器１０００では、各レスポンスパケットを構成するレスポンスコード等は記憶部２１１に記憶されている。また、図１１に示されるリクエストコード「Ｇet」は、クライアント側からサーバ側にオブジェクトの送信を要求するコマンドを表し、１６進数「０x０３」または「０x８３」が対応する。また、図１１に示されるリクエストコード「Ａbort」は、オブジェクトの送受信を中断するコマンドを表し、１６進数「０xＦＦ」が対応する。また、図１５に示されるレスポンスコード「Ｂad Ｒequest」は、リクエストの構文が誤っていることを表し、１６進数「０xＣ０」が対応する。図１５に示されるレスポンスコード「Ｎot Found」は、リクエストされたリソースが見つからないことを表し、１６進数「０xＣ４」が対応する。また、図１５に示されるレスポンスコード「Ｒequest Timeout」は、待ち時間以内にリクエストが完了しなかったことを表し、１６進数「０xＣ８」が対応する。
【００５９】
上述したように、この実施形態の加熱調理器によれば、上記送信側装置としての携帯電話機３０００は、受信側装置としての加熱調理器１０００の受信能力を示す受信能力情報を要求する受信能力情報要求信号としてのＧet Ｍax Information信号を上記受信側装置としての加熱調理器１０００へ送信する。一方、上記受信側装置としての加熱調理器１０００は、上記送信側装置としての携帯電話機３０００から上記受信能力情報要求信号であるＧet Ｍax Information信号を受信した場合に、受信能力を示す受信能力情報を表す受信能力信号としてＯＫ信号を制御装置２００の制御により赤外線送受信部２１０から携帯電話機３０００へ送信させる。
【００６０】
そして、上記送信側装置としての携帯電話機３０００は、上記受信側装置としての加熱調理器１０００から上記受信能力信号としてのＯＫ信号を受信した場合に、上記ＯＫ信号による受信能力情報が示す受信能力に応じた送信情報を表す送信信号(１回目から最終回までのＰut信号)を加熱調理器１０００へ送信する。これにより、上記携帯電話機３０００は、上記加熱調理器１０００側の受信能力に合った送信信号を上記加熱調理器１０００へ送信することができ、上記加熱調理器１０００は、自身の受信能力に合った送信情報を携帯電話機３０００から受信できる。よって、この実施形態によれば、受信側装置である加熱調理器１０００の受信能力不足を回避でき、受信能力(メモリ容量,情報処理能力等)を増強することなく、かつ、送信側装置である携帯電話機３０００の送信信号を受信側装置である加熱調理器１０００で受信エラーを生じることなく、短い通信時間で支障なく受信可能になる。
【００６１】
したがって、上記加熱調理器１０００と携帯電話機３０００による送受信システムによれば、例えば、上記携帯電話機３０００は、例えば、料理された食品をカメラ部３１２で撮影した画像情報を記憶部３５０に記憶すると共に上記画像情報を画像処理部３１７によって受信側の加熱調理器１０００の上記受信能力情報による受信能力に応じた画像情報(例えば、サムネイル画像等)にして、この画像情報を表す画像信号を加熱調理器１０００に送信できる。これにより、上記加熱調理器１０００は、上記携帯電話機３０００からの画像信号を赤外線送受信部２１０で受信して表示制御部２００ａの制御でもって、操作パネル５のカラー液晶表示部６に上記画像信号による画像を表示できる。上記画像信号による画像情報は、例えば、使用者が加熱調理器１０００で調理した料理の画像あるいは料理の過程を順に撮影した複数の画像とすることができる。また、上記携帯電話機３０００から加熱調理器１０００へ送信する送信信号による送信情報は、画像情報に限らないのは勿論で、上記加熱調理器１０００で調理する際の料理メニューに応じたポイントを解説する音声情報や料理の過程を示す画像に対応して解説する音声情報を含んでもよい。この場合、上記加熱調理器１０００に上記音声情報を出力するスピーカ等の音声出力部を設ける。これらの画像情報や音声情報は、記憶部２１１に記憶される。
【００６２】
尚、上記実施形態において、加熱調理器１０００が、上記受信能力情報要求信号としてのＧet Ｍax Information信号を送信する携帯電話機３０００のデータ転送プロトコルに対応していない場合、図１９に示すように、加熱調理器１０００の赤外線送受信部２１０が、上記Ｇet Ｍax Information信号を受信すると、上記赤外線通信制御部２００ｂの制御により赤外線送受信部２１０は要求に対応できないことを表すＳervice Ｕnavailable信号もしくは他のエラー信号を送信する。すると、このＳervice Ｕnavailable信号もしくは他のエラー信号を受信した上記携帯電話機３０００では、画像情報等の送信情報を含む送信信号を受信側の加熱調理器１０００の受信能力に適合させる処理を行なうことなく、赤外線信号送受信部３１５から加熱調理器１０００へ送信する。よって、受信側装置である加熱調理器１０００が、送信側装置である携帯電話機３０００のデータ転送プロトコルに対応していない場合、送信情報を受信側の受信能力に適合させる処理が行なわれないものの、送信情報を受信側へ送信することは可能である。なお、上記Ｓervice Ｕnavailable信号は、図１５に示されるレスポンスコードであり、「０xＤ３」が対応している。
【００６３】
また、上記実施形態では、送信側装置としての携帯電話機３０００は、赤外線信号送受信部３１５から加熱調理器１０００へ送信する受信能力情報要求信号を、受信側で受信可能な最大のデータサイズを示す情報を要求する信号(Ｇet Ｍax Information信号)としたが、上記受信能力情報要求信号はこれに限定されるものではない。すなわち、上記受信能力情報要求信号は、例えば、画像の大きさ,画像の縦サイズと横サイズ、画像形式(ＧＩＦ(グラフィクス・インターチェンジ・フォーマット),ＪＰＥＧ(ジョイント・フォトグラフ・エクスパート・グループ)等の圧縮フォーマット)、画像の色(単色,カラー),階調等のうちのいずれか１つに関する受信能力情報またはこれらの組み合わせに関する受信能力情報を要求する信号であってもよい。
【００６４】
また、上記実施形態は、上述の説明では、上記携帯電話機３０００が上記加熱調理器１０００から受信能力を表す受信能力信号としてのＯＫ信号を送信すると、制御回路３６０で画像処理部３１７を制御して撮影した画像情報を、上記受信能力に適合した画像情報に加工して、この画像情報を表す送信信号を赤外線信号送受信部３１５から送信させる構成とした。これに対して、予め互いに異なる情報量や画像形式,画像サイズを有する複数の画像情報を画像処理部３１７で作成して記憶部３５０に記憶させておき、上記受信能力に最も適した画像情報を通信制御部３６０ａで選定して上記画像情報を表す送信信号を赤外線信号送受信部３１５から送信させる構成としてもよい。また、例えば、受信側の加熱調理器１０００の記憶部２１１の画像データ記憶容量等の画像処理能力が送信側の携帯電話機３０００の画像処理能力よりも低く、携帯電話機３０００の画像情報が主画像情報の他に補助的な縮小画像(サムネイル画像)情報を持っている場合は、この縮小画像情報による画像信号を携帯電話機３０００から加熱調理器１０００へ送信してもよい。また、送信側の携帯電話機から受信側の加熱調理器へ送信する送信信号による送信情報は画像情報に限らないのは勿論で、前述した通り、音声情報や文字情報であってもよい。
【００６５】
また、上記実施形態において、送信制御プログラムによって、上記送信側装置としての携帯電話機３０００の制御回路３６０の赤外線通信制御部３６０ａが上記受信側装置としての加熱調理器１０００へ上記加熱調理器１０００の受信能力を示す受信能力情報を要求する受信能力情報要求信号(Ｇet Ｍax Information信号)を赤外線信号送受信部３１５から送信させる機能と、上記受信側装置としての加熱調理器１０００から上記受信能力情報を表す受信能力信号(ＯＫ信号)を赤外線送受信部３１５で受信した場合に、上記受信能力信号(ＯＫ信号)による受信能力情報が示す受信能力に応じた送信情報を表す送信信号(Ｐut信号)を上記赤外線送受信部３１５から上記受信側装置(加熱調理器１０００)へ送信させる機能とを、制御回路３６０が備えるコンピュータに実現させるようにしてもよい。
【００６６】
また、上記実施形態では、上記送信側装置としての携帯電話機３０００と上記受信側装置としての加熱調理器１０００との間で赤外線通信する場合を説明したが、送信側装置と受信側装置との間の通信は赤外線通信に限定されるものでなく、電波無線通信でもよく、ケーブルを介した有線通信でもよい。また、上記実施形態では、送信側装置を携帯電話機３０００とし、受信側装置を加熱調理器１０００としたが、上記送信側装置を情報端末(携帯情報端末(ＰＤＡ),スマートフォン,モバイルＰＣ(パーソナルコンピュータ)等)とし、上記受信側装置を他の家庭電気製品(電子レンジ,炊飯器,冷蔵庫,掃除機,テレビジョン受像機,空気調和機,電気カミソリ,照明器具等)としてもよい。上記受信側装置を電子レンジや炊飯器とした場合には、上記受信側装置を加熱調理器とした場合と同様に調理例や調理過程の画像情報や音声情報を送信側装置から受信して出力,表示可能とすることができる。また、上記受信側装置を冷蔵庫とした場合は、例えば、冷蔵庫に入れた食品の画像,食品の種類等や入庫の日付等の情報を送信側装置(例えば携帯電話機)から送信し、上記送信側装置から受信した上記情報をメモリに記憶させて随時、冷蔵庫側で出力,表示可能にしてもよい。また、上記受信側装置を掃除機,空気調和機,電気カミソリ,照明器具等とした場合、例えば、送信側装置からメンテナンス情報(保守点検した日付,交換部品の種類等)を送信させ、このメンテナンス情報を掃除機,空気調和機,電気カミソリ,照明器具等の受信側装置で受信してメモリに記憶させて随時、出力,表示可能にしてもよい。
【符号の説明】
【００６７】
１…ケーシング
２…扉
３…ハンドル
４…耐熱ガラス
５…操作パネル
６…カラー液晶表示部
７…ボタン群
８…排気ダクト
９…露受容器
１１…水タンク
１２…蒸気発生装置
１３…加熱庫
１４…循環ユニット
１５…蒸気吸込口
１７…電装部品
１８…循環ファン
１９…ファンモータ
２０…過熱蒸気生成ヒータ
２１…過熱蒸気生成装置
２２…蒸気供給口
２４…第１蒸気吹出口
２５…第２蒸気吹出口
２７…被加熱物
２８…吸込口
３０…トレイ
３４…蒸気供給管
３６…蒸気導入室
３７…モータ
３８…回転アンテナ
３９a,３９ｂ,３９c…係止部
４０…網
６１…カラー液晶パネル
６２…タッチパネル
７１…戻るキー
７５…入力表示部
８０…マグネトロン
１００…蒸気ダクト
１１０…第１ダクト部
１２０…屈曲部
１３０…第２ダクト部
２００…制御装置
２００ａ…表示制御部
２００ｂ…赤外線通信制御部
２１０…赤外線送受信部
２１１…赤外線通信ポート
３０１…モニター側筐体
３０２…操作側筐体
３０３…ヒンジ部
３０５…表示部
３０６…スピーカ部
３０７…操作ボタン
３０８…操作部
３１１…マイク部
３１２…カメラ部
３１３…赤外線通信ポート
３１５…赤外線信号送受信部
３１７…画像処理部
３３０…通信部
３５０…記憶部
３６０…制御回路
３６０ａ…赤外線通信制御部
１０００…加熱調理器
３０００…携帯電話機
【図１】
0005701146.tif 000002
【図２Ａ】
0005701146.tif 000003
【図２Ｂ】
0005701146.tif 000004
【図３】
0005701146.tif 000005
【図４】
0005701146.tif 000006
【図５】
0005701146.tif 000007
【図６】
0005701146.tif 000008
【図７】
0005701146.tif 000009
【図８】
0005701146.tif 000010
【図９】
0005701146.tif 000011
【図１０】
0005701146.tif 000012
【図１１】
0005701146.tif 000013
【図１２】
0005701146.tif 000014
【図１３】
0005701146.tif 000015
【図１４】
0005701146.tif 000016
【図１５】
0005701146.tif 000017
【図１６】
0005701146.tif 000018
【図１７】
0005701146.tif 000019
【図１８】
0005701146.tif 000020
【図１９】
0005701146.tif 000021